(57)【要約】【課題】ポインティングデバイスによって操作可能な情報処理装置において、作業効率および操作性を改善すること。【解決手段】ポインティングデバイスをクリックしながらポインタを移動するドラッグ動作および移動後にクリックを離すドロップ動作の各１回の動作からドラッグ動作の開始位置、このドラッグ動作の開始位置からドロップ動作を行った位置までの移動距離と移動方向を判定し、当該判定結果に基づいて、オブジェクトの種類、配置場所および大きさを含む表示パラメータを設定する。これらの表示パラメータのうち、オブジェクトの配置場所はドラッグ動作の開始位置の情報に基づいて決定され、オブジェクトの大きさはドラッグ動作の開始位置からドロップ動作を行った位置までの移動距離の情報に基づいて決定され、オブジェクトの種類はその移動方向の情報に基づいて決定される。【選択図】        図４
2010160655.tif 000002
【特許請求の範囲】
【請求項１】
ポインティングデバイスによって操作可能な情報処理装置において、
前記ポインティングデバイスをクリックしながらポインタを移動するドラッグ動作および移動後にクリックを離すドロップ動作の各１回の動作から、ドラッグ動作の開始位置および、このドラッグ動作の開始位置からドロップ動作を行った位置までの移動距離と移動方向を判定し、当該判定結果に基づいて、オブジェクトの種類、配置場所および大きさを含む表示パラメータを設定する表示パラメータ設定部と、
前記表示パラメータ設定部にて設定された表示パラメータに基づいて、当該オブジェクトを表示画面上に表示する表示制御部と、
を備えたことを特徴とする情報処理装置。
【請求項２】
前記表示パラメータ設定部は、ドラッグ動作の開始位置の情報に基づいてオブジェクトの配置場所を決定し、ドラッグ動作の開始位置からドロップ動作を行った位置までの移動距離の情報に基づいてオブジェクトの大きさを決定し、又、その移動方向の情報に基づいてオブジェクトの種類を決定することを特徴とする請求項１に記載の情報処理装置。
【請求項３】
前記表示制御部は、前記オブジェクトの種類を決定するためのガイドエリアを表示することが可能であり、ドラッグ動作が実行される際に、当該ガイドエリアを表示することを特徴とする請求項１または２に記載の情報処理装置。
【請求項４】
前記表示制御部は、前記ガイドエリアに表示可能なオブジェクトの種類数よりも多くの種類数を有するオブジェクトを表示させる場合、ドロップ動作を行った地点の近傍に、当該ガイドエリアに表示されているオブジェクトを更に細分化したオブジェクトを含むリスト表示を行うことを特徴とする請求項３に記載の情報処理装置。
【請求項５】
さらにキーボードとの接続が可能であり、当該キーボードの所定のキーには所定のオブジェクトの種類が割り当てられているとき、
前記表示制御部は、ドラッグ動作が実行される際に前記所定のキーを押下する動作が実行されているときには、このドラッグ動作に合わせて前記所定のキーに割り当てられたオブジェクトの種類を前記ガイドエリアの所定の領域に表示し、
前記表示パラメータ設定部は、ドロップ動作が実行される際に前記所定のキーを押下する動作が実行されているときには、当該ドロップ動作が行われた領域に割り当てられ表示されているオブジェクトの種類を選択するとともに、当該ドラッグ動作の開始点からドロップ動作を行った地点までの距離の情報に基づいて当該オブジェクトの大きさを決定することを特徴とする請求項１に記載の情報処理装置。
【請求項６】
前記表示画面上に表示されたオブジェクトの少なくとも１つを選択した状態に保持しながらのドラッグ動作およびドロップ動作が実行されるとき、
前記表示制御部は、前記選択されたオブジェクトを他のオブジェクトに変更するためのガイドエリアを表示することを特徴とする請求項１〜５の何れか１項に記載の情報処理装置。
【請求項７】
前記ポインティングデバイスがマウスである場合において、
前記ドラッグ動作および前記ドロップ動作の各機能を前記マウスの右ボタンに付与することを特徴とする請求項１〜６の何れか１項に記載の情報処理装置。
【請求項８】
ポインティングデバイスを使用してオブジェクトの設定処理を行う情報処理装置に適用可能なオブジェクト設定方法であって、
前記ポインティングデバイスをクリックしながらポインタを移動するドラッグ動作および移動後にクリックを離すドロップ動作の各１回の動作から、ドラッグ動作の開始位置および、このドラッグ動作の開始位置からドロップ動作を行った位置までの移動距離と移動方向を判定する操作判定ステップと、
前記判定ステップの判定結果に基づいて、オブジェクトの種類、配置場所および大きさを含む表示パラメータを設定する表示パラメータ設定ステップと、
前記表示パラメータ設定ステップにて設定された表示パラメータに基づいて、当該オブジェクトを表示画面上に表示する表示制御ステップと、
を含むことを特徴とするオブジェクト設定方法。
【請求項９】
前記表示パラメータ設定ステップでは、オブジェクトの配置場所をドラッグ動作の開始位置の情報に基づいて決定し、オブジェクトの大きさをドラッグ動作の開始位置からドロップ動作を行った位置までの移動距離の情報に基づいて決定し、又、オブジェクトの種類をその移動方向の情報に基づいて決定することを特徴とする請求項８に記載のオブジェクト設定方法。
【発明の詳細な説明】
【技術分野】
【０００１】
本発明は、ポインティングデバイスによって操作可能な情報処理装置および、当該情報処理装置に適用可能なオブジェクト設定方法に関するものである。
【背景技術】
【０００２】
近年、パソコンやワークステーションなどの情報処理装置のインターフェイスはＧＵＩ（Graphical User Interface）になっており、ポインティングデバイスとして、マウスが利用されることが一般的である。これらの情報処理装置において、特に、オブジェクトの「種類」、「配置場所」、「大きさ」を決定する際には、それぞれの決定を１項目ずつ順に、マウスのクリック動作およびドラッグ＆ドロップ動作を行って決定していた（例えば、特許文献１）。
【先行技術文献】
【特許文献】
【０００３】
【特許文献１】特開平０９−３３０１７７号公報
【発明の概要】
【発明が解決しようとする課題】
【０００４】
しかしながら、上記特許文献１を初めとする従来技術では、１つのオブジェクトを設定するために各１アクション、つまりクリック動作、ドラッグ動作およびドロップ動作による計３アクション以上を行わなければならず、さらに「種類」の決定ではマウスカーソルを作業領域からツールバーやメニューバーまで移動させて選択する必要があり、作業効率が悪いという問題点があった。
【０００５】
また、従来技術では、既に決定されているオブジェクトの「種類」の変更に要するマウスやキーボードでのアクションが多いため、必ずしも操作性がよいとは言い難く、操作性に対する改善の余地が残されていた。
【０００６】
本発明は、上記に鑑みてなされたものであって、ポインティングデバイスを使用して操作処理を行う情報処理装置において、作業効率を改善し、操作性の更なる改善を可能とする情報処理装置およびオブジェクト設定方法を提供することを目的とする。
【課題を解決するための手段】
【０００７】
上述した課題を解決し、目的を達成するため、本発明にかかる情報処理装置は、ポインティングデバイスによって操作可能な情報処理装置において、前記ポインティングデバイスをクリックしながらポインタを移動するドラッグ動作および移動後にクリックを離すドロップ動作の各１回の動作から、ドラッグ動作の開始位置および、このドラッグ動作の開始位置からドロップ動作を行った位置までの移動距離と移動方向を判定し、当該判定結果に基づいて、オブジェクトの種類、配置場所および大きさを含む表示パラメータを設定する表示パラメータ設定部と、前記表示パラメータ設定部にて設定された表示パラメータに基づいて、当該オブジェクトを表示画面上に表示する表示制御部と、を備えたことを特徴とする。
【発明の効果】
【０００８】
本発明にかかる情報処理装置によれば、ポインティングデバイスをクリックしながらポインタを移動するドラッグ動作および移動後にクリックを離すドロップ動作の各１回の動作から、ドラッグ動作の開始位置および、このドラッグ動作の開始位置からドロップ動作を行った位置までの移動距離と移動方向を判定し、当該判定結果に基づいてオブジェクトの種類、配置場所および大きさを含む表示パラメータを設定し、設定された表示パラメータに基づいて当該オブジェクトを表示画面上に表示するようにしているので、作業効率の改善および操作性の更なる改善が可能となるという効果が得られる。
【図面の簡単な説明】
【０００９】
【図１】図１は、本実施の形態にかかるオブジェクト設定手法の概念を適用可能な情報処理装置の一構成例を示す図である。
【図２】図２は、本実施の形態にかかる情報処理装置の機能を具現する要部の構成を示す図である。
【図３】図３は、本実施の形態にかかるオブジェクト設定手法を説明するためのウィンドウ表示の一例を示す図である。
【図４】図４は、本実施の形態にかかる第１のオブジェクト設定手法の一例を示す図である。
【図５】図５は、本実施の形態にかかる第２のオブジェクト設定手法の一例を示す図である。
【図６】図６は、本実施の形態にかかる第３のオブジェクト設定手法の一例を示す図である。
【図７】図７は、第１〜第３のオブジェクト設定手法に基づく設定手順を示すフローチャートである。
【図８−１】図８−１は、従来のオブジェクト設定手法の一例にかかるウィンドウ表示（オブジェクト選択のための移動）を示す図である。
【図８−２】図８−２は、従来のオブジェクト設定手法の一例にかかるウィンドウ表示（オブジェクトの選択）を示す図である。
【図８−３】図８−３は、従来のオブジェクト設定手法の一例にかかるウィンドウ表示（選択オブジェクトの配置）を示す図である。
【図８−４】図８−４は、従来のオブジェクト設定手法の一例にかかるウィンドウ表示（選択オブジェクトのサイズ変更）を示す図である。
【発明を実施するための形態】
【００１０】
以下に添付図面を参照して、本発明にかかる情報処理装置および、当該情報処理装置に適用可能なオブジェクト設定方法の実施の形態を詳細に説明する。なお、以下に示す実施の形態により本発明が限定されるものではない。
【００１１】
図１は、本実施の形態にかかるオブジェクト設定手法の概念を適用可能な情報処理装置の一構成例を示す図である。図１において、情報処理装置１０は、ＣＰＵ１２、ＲＯＭ１４、ＲＡＭ１６等が、データバス、アドレスバス及びコントロールバスを含むバス１８によって接続されている。情報処理装置１０には、バス１８に接続される入出力インターフェイス（Ｉ／Ｏインターフェイス）２０が設けられている。なお、このような情報処理装置１０の例としては、パーソナルコンピュータ（ＰＣ、所謂パソコン）、ワークステーション（ＷＳ）などが代表的なものである。
【００１２】
Ｉ／Ｏインターフェイス２０には、ＨＤＤ２２が接続されている。ＨＤＤ２２には、ＯＳと共に各種のアプリケーションプログラムなどのプログラムファイル、各種データを含むデータファイルなどが記憶される。ＣＰＵ１２は、ＨＤＤ２２に記憶されているファイルからＯＳおよびアプリケーションプログラム（アプリケーションソフト）を読み込んで、アプリケーションデータや画像データなどの各種のデータに対する処理（情報処理）を実行する。
【００１３】
また、Ｉ／Ｏインターフェイス２０には、入力デバイスとするキーボード２４および、ポインティングデバイスの一例であるマウス２６、ならびにビデオＲＡＭ（ＶＲＡＭ）２８およびグラフィックコントローラ３０を備えたビデオカード３２が接続されており、このビデオカード３２に、表示手段であるモニタ３４が接続されている。
【００１４】
上記のように構成された情報処理装置１０では、モニタ３４に各種の画面を表示しながら、キーボード２４およびマウス２６の操作によって表示画面に基づいた各種の処理や、所望の画面表示が可能となっている。
【００１５】
また、Ｉ／Ｏインターフェイス２０には、例えば、ＵＳＢ（universal serial bus）、ＩＥＥＥ１３９４などの所定規格のインターフェイスが設けられ、情報処理装置１０では、これらのインターフェイスを介した各種データの入出力が可能となっている。
【００１６】
一方、情報処理装置１０のＯＳやアプリケーションでは、ＧＵＩ（Graphical User Interface）を用いた各種の表示、入力操作などが可能となっている。すなわち、情報処理装置１０では、モニタ３４上に、ＧＵＩとしての複数のウィンドウ４０が表示可能となっている。
【００１７】
このウィンドウ４０には、例えば、各種のデータファイル、画像などのファイルや、これらのファイルが格納されたアイコンがオブジェクトとして表示される。また、ウィンドウ４０には、処理対象となる画像ファイルの画像や、データファイルに基づいた文書などが表示される。なお、ウィンドウ４０内の表示は、アプリケーションに応じた任意の構成を適用することができ、ここでの詳細な説明を省略する。
【００１８】
また、情報処理装置１０では、モニタ３４に表示されるポインタ４２を、ポインティングデバイスとして接続されているマウス２６によって操作することが可能となっている。なお、マウス２６を用いたポインタ４２の操作としては、ポインタ４２の移動、ポインタ４２が示すオブジェクトの選択などの公知の内容が適用される。すなわち、情報処理装置１０では、マウス２６の操作によって、ウィンドウ４０を選択したり、ウィンドウ４０内のアイコンを選択したりする操作（クリック操作）、ウィンドウ４０を拡縮したり移動したりする操作、アイコンを選択して移動する操作（ドラッグ＆ドロップ）などの各種の操作が可能となっている。
【００１９】
図２は、本実施の形態にかかる情報処理装置１０の機能を具現する要部の構成を示す図である。情報処理装置１０には、表示制御部５１および表示パラメータ設定部５３が設けられている。マウス２６は、マウス操作による移動方向や移動量に応じた信号を生成して情報処理装置１０に出力する。キーボード２４は、キー操作による信号を生成して情報処理装置１０に出力する。表示制御部５１は、マウス２６の操作に応じてモニタ３４に表示されるポインタ４２の表示制御や、選択されたオブジェクトのモニタ３４への表示制御を行う。表示パラメータ設定部５３は、マウス２６をクリックしながらポインタ４２を移動するドラッグ動作および移動後にクリックを離すドロップ動作（ドラッグ＆ドロップ動作）の各１回の動作からドラッグ動作の開始位置、このドラッグ動作の開始位置からドロップ動作を行った位置までの移動距離と移動方向を判定し、当該判定結果に基づいて、オブジェクトの種類、配置場所、大きさなどの表示パラメータを決定し、オブジェクトに当該表示パラメータを設定する。
【００２０】
なお、情報処理装置１０に設けられる表示制御部５１および表示パラメータ設定部５３の各機能は、ハードウェアによって構成されるものでもよいし、ソフトウェア（プログラム）をＣＰＵ１２で実行することにより形成されるものであってもよい。
【００２１】
図３は、本実施の形態にかかるオブジェクト設定手法を説明するためのウィンドウ表示の一例を示す図である。図３において、ウィンドウ１００には、メニュー表示部１０１、ツールバー表示部１０２、作業領域表示部１０５などが設けられている。ツールバー表示部１０２には、標準ツールバー１０２ａ、図形ツールバー１０２ｂ、オブジェクトツールバー１０２ｃが表示され、作業領域表示部１０５には、オブジェクト１０３および、ポインティングデバイスの指し示す位置を表すポインタ１０４が表示されている。なお、図３では、オブジェクトの一例として、数値表示オブジェクト１０３ａ、図形オブジェクト１０３ｂ、図形記号オブジェクト１０３ｃ，１０３ｄ、文字図形オブジェクト１０３ｅ，１０３ｆ，１０３ｇなどを表示している。特に、図形記号オブジェクト１０３ｃは、種類が「ランプ」のオブジェクト例であり、図形記号オブジェクト１０３ｄは、種類が「ビットスイッチ」のオブジェクト例である。
【００２２】
図４は、本実施の形態にかかる第１のオブジェクト設定手法の一例を示す図である。図４において、作業領域表示部１０５には、図３に示したオブジェクトに加えて、第１の種類ガイド３０１およびサイズ枠３０２が表示されている。第１の種類ガイド３０１は、選択可能なオブジェクトの候補を表す案内表示であり、ドラッグ動作を行った場合に表示される（図４では、スイッチ、ランプ、図形、数値（アスキー）の４つのオブジェクトを一例として示している。サイズ枠３０２は、オブジェクトの大きさを指定する表示枠である。このサイズ枠３０２において、ドラッグを開始した任意の地点Ｐ１とポインタの現在地点Ｐ２との距離に応じてオブジェクトの大きさ（オブジェクトサイズ）が決定され、最終的にはドロップ動作を行った地点によりオブジェクトの種類および大きさが決定される。
【００２３】
なお、図４では、ドラッグの始点の情報によってオブジェクトの配置位置が決まる例を示しているが、これに限定されるものではなく、例えばドラッグの終点の情報によってオブジェクトの配置位置が決まるようにしても構わない。
【００２４】
また、図４の例では、図示することはできないが、第１の種類ガイド３０１内のオブジェクトのうち、ドラッグ動作を行った方向にあるオブジェクト、すなわち選択候補となるオブジェクトに色を付けて表示するようにすれば、操作性および視認性に優れた表示画面の提供が可能となる。
【００２５】
図５は、本実施の形態にかかる第２のオブジェクト設定手法の一例を示す図である。図５において、作業領域表示部１０５には、図４に加えて、ツールバー形式のリスト３０３が表示されている。例えば、図４において、オブジェクトの種類としてスイッチを選択した場合、スイッチには更に細分化された種類があるため、その種類をリスト３０３の形で提供している。操作者は、リスト３０３のうちの任意の一つを選択することにより、当該オブジェクト、すなわち細部分類されたスイッチオブジェクトの表示が可能となる。
【００２６】
図６は、本実施の形態にかかる第３のオブジェクト設定手法の一例を示す図である。図６において、作業領域表示部１０５には、図５に加えて、確定表示枠３０４および第２の種類ガイド３０５が表示されている。この第３のオブジェクト設定手法を使用する場合、キーボード２４の所定のキーには、予め所定のオブジェクトの種類が割り当てられていることが前提となる。図４に示される画面において、所定のキーボードキーを押下した状態で、第１の種類ガイド３０１の左上方向にあるスイッチの表示エリアにてドロップすると、図６に示すように、更に細分分類されたスイッチオブジェクトを表示する第２の種類ガイド３０５に入れ替わる。なお、この表示画面において、４つのエリアにある何れかのエリアをクリックすることにより、当該エリアに割り当てられているオブジェクトが確定表示枠３０４に表示される。
【００２７】
図７は、上記した第１〜第３のオブジェクト設定手法に基づく設定手順を示すフローチャートである。以下、図７のフローに従って、第１〜第３オブジェクト設定手法に基づく設定手順の詳細を説明する。なお、同図のフローに示す各処理は、情報処理装置１０に具備される表示制御部５１または表示パラメータ設定部５３によって実行される。
【００２８】
まず、マウスがドラッグされたか否かが判定され（ステップＳ１１）、マウスがドラッグされた場合には（ステップＳ１１、Ｙｅｓ）、さらにオブジェクトが選択されているか否かが判定され（ステップＳ１２）、オブジェクトが選択されていない場合には（ステップＳ１２，Ｎｏ）、オブジェクトの配置座標を確定し（ステップＳ１３）、ステップＳ１４の処理に移行する。なお、ステップＳ１２にて、オブジェクトが選択されている場合とは（ステップＳ１２，Ｙｅｓ）、例えば画面上に表示されているオブジェクトの種類を変更する場合等であり、この場合には、オブジェクトの配置座標が確定されているので、ステップＳ１３の処理をバイパスしてステップＳ１４に移行する。
【００２９】
ステップＳ１４では、マウスがドラッグされているときにキーボード入力があるか否かが判定され、キーボード入力がない場合には（ステップＳ１４，Ｎｏ）、上記した第１の種類ガイド（図４参照）を表示して（ステップＳ１５）、ステップＳ１７の処理に移行する。一方、キーボード入力がある場合には（ステップＳ１４，Ｙｅｓ）、上記した第２の種類ガイド（図６参照）を表示して（ステップＳ１６）、ステップＳ１７の処理に移行する。
【００３０】
ステップＳ１７では、マウスがドロップされたか否かが判定され、マウスがドロップされていない場合には（ステップＳ１７，Ｎｏ）、キーボード入力の待ちの状態となる（ステップＳ１４）。一方、マウスがドロップされている場合には（ステップＳ１７，Ｙｅｓ）、さらに上記ドラッグ＆ドロップの動作においてポインタの移動があったか否かが判定され（ステップＳ１８）、ポインタの移動がなければ（ステップＳ１８，Ｎｏ）ステップＳ１１の処理に戻り、ポインタの移動があれば（ステップＳ１８，Ｙｅｓ）、さらに上記ステップＳ１２の処理でオブジェクトが選択されていたか否かが判定される（ステップＳ１９）。
【００３１】
ここで、オブジェクトが選択されていない場合には（ステップＳ１９，Ｎｏ）、ドラッグ＆ドロップの距離（ドラッグ地点とドロップ地点との間の距離）によりオブジェクトの大きさを確定し（ステップＳ２０）、ステップＳ２１の処理に移行する。なお、ステップＳ１９にて、オブジェクトが選択されていると判定される場合は（ステップＳ１９，Ｙｅｓ）、ステップＳ１２にてオブジェクトが選択されている場合であり、この場合には、オブジェクトの配置座標が確定されているので、ステップＳ２０の処理をバイパスしてステップＳ２１の処理に移行する。
【００３２】
ステップＳ２１では、ドロップされたガイド（第１の種類ガイドまたは第２の種類ガイド）上にあるオブジェクトの種類に確定され、さらに種類の細分化があるか否かが判定され（ステップＳ２２）、種類の細分化がない場合には（ステップＳ２２，Ｎｏ）処理を終了し、種類の細分化がある場合には（ステップＳ２２，Ｙｅｓ）、ドロップした地点近傍により細分化されたリスト枠を表示し（ステップＳ２３）、このリスト枠よりオブジェクトの種類を決定し（ステップＳ２４，Ｙｅｓ）、処理を終了する。なお、オブジェクトの種類を選択しない場合には（ステップＳ２４，Ｎｏ）、ステップＳ１１の処理に戻る。
【００３３】
なお、上記の処理フローにおいて、キーボード入力があると判定したフロー（ステップＳ１４，Ｙｅｓ）が上記第３のオブジェクト設定手法に対応し、種類の細分化があると判定したフロー（ステップＳ２２，Ｙｅｓ）が上記第２のオブジェクト設定手法に対応し、これら以外のフローが上記第１のオブジェクト設定手法に対応することになる。
【００３４】
つぎに、本実施の形態にかかるオブジェクト設定手法を適用した場合の効果について、従来のオブジェクト設定手法にかかるウィンドウ表示の一例として示される図８−１〜図８−４の各図面などを参照して説明する。なお、図８−１は、オブジェクト選択のための移動操作を示すウィンドウ表示であり、図８−２は、オブジェクト選択ための選択操作を示すウィンドウ表示であり、図８−３は、選択オブジェクトの配置操作を示すウィンドウ表示であり、図８−４は、選択オブジェクトのサイズ変更操作を示すウィンドウ表示である。
【００３５】
まず、従来のオブジェクト設定手法では、オブジェクトの種類を決定する際には、ポインティングデバイスをメニュー表示部やツールバー表示部まで移動させた後に、作業領域の表示位置まで戻す須操作を行う必要があるため、ポインティングデバイスの移動量が大きく、作業効率が悪いという問題点があった（図８−１、図８−３参照）。また、従来のオブジェクト設定手法では、オブジェクトの種類の決定や、オブジェクトの種類の変更、あるいはオブジェクトのサイズの変更に要するアクション数が多くなるため、操作性が悪いという問題点があった（図８−２、図８−４参照）。さらに、従来のオブジェクト設定手法では、一つのオブジェクトを指定、配置するためには、オブジェクトの「種類」、「配置場所」、「大きさ」の設定という３アクションの操作を必要とするため、オブジェクトの設定に時間がかかるという問題点があった（図８−４参照）。
【００３６】
一方、本実施の形態にかかるオブジェクト設定手法および、当該オブジェクト設定手法を適用した情報処理装置では、ドラッグ＆ドロップによる各１回のアクションで、オブジェクトの「種類」、「配置場所」、「大きさ」の全てを設定することができるので、作業効率および操作性を改善することができる。
【００３７】
また、本実施の形態にかかるオブジェクト設定手法および、当該オブジェクト設定手法を適用した情報処理装置によれば、ドラッグ中にガイド表示を行うようにしているので、どの方向にどのオブジェクトが割り当てられているのかを覚えることなく、オブジェクトの種類を決定することができる。
【００３８】
また、本実施の形態にかかるオブジェクト設定手法および、当該オブジェクト設定手法を適用した情報処理装置によれば、ガイド表示に表される表示数が所定数（本実施例では“４”）以上の場合、ドロップ地点の近傍付近に、さらに細分化されたオブジェクトのリスト枠を表示するようにしているので、所定数以上のオブジェクト数がある場合であっても、オブジェクトの設定操作に関する作業効率および操作性の改善が可能となる。
【００３９】
また、本実施の形態にかかるオブジェクト設定手法および、当該オブジェクト設定手法を適用した情報処理装置によれば、所定のキーボードキーにオブジェクトの種類を割り当て、キーボードキーを押下した状態でのドラッグ＆ドロップ動作を可能とすると共に、ドラッグ中にオブジェクトの種類を表示するようにしているので、どのキーボードキーにどのオブジェクトが割り当てられているのかを覚えることなく、オブジェクトの種類を決定することができる。
【００４０】
また、本実施の形態にかかるオブジェクト設定手法および、当該オブジェクト設定手法を適用した情報処理装置によれば、オブジェクトが選択されている状態でのポインティングデバイスによるドラッグ＆ドロップを行うことにより、ガイド表示と、オブジェクトの「種類」、「配置場所」、「大きさ」の設定とを行うことができるので、どの方向にどのオブジェクトが割り当てられているのかを覚えることなく、オブジェクトの種類を変更することができ、オブジェクトの変更操作に関する作業効率および操作性の改善が可能となる。
【００４１】
なお、ポインティングデバイスの一例である例えばマウスを用いる際に、マウスの右ボタンに上記した各機能を割り当てるようにすれば、従来のオブジェクト設定手法を左ボタンの機能として残すことができるので、操作者の好みに合わせて機能を使い分けすることができ、あるいは操作者の習熟度に応じて機能を切り替えることもできる。
【産業上の利用可能性】
【００４２】
以上のように、本発明にかかる情報処理装置およびオブジェクト設定方法は、ポインティングデバイスによって操作可能な情報処理装置において、作業効率および操作性の更なる改善を可能とする発明として有用である。
【符号の説明】
【００４３】
１０  情報処理装置
１８  バス
２０  Ｉ／Ｏインターフェイス
２２  ＨＤＤ
２４  キーボード
２６  マウス
２８  ＶＲＡＭ
３０  グラフィックコントローラ
３２  ビデオカード
３４  モニタ
４０  ウィンドウ
４２，１０４  ポインタ
５１  表示制御部
５３  表示パラメータ設定部
１００  ウィンドウ
１０１  メニュー表示部
１０２ｃ  オブジェクトツールバー
１０２  ツールバー表示部
１０２ａ  標準ツールバー
１０３  オブジェクト
１０３ａ  数値表示オブジェクト
１０３ｅ，１０３ｆ，１０３ｇ  文字図形オブジェクト
１０５  作業領域表示部
３０１  第１の種類ガイド
３０２  サイズ枠
３０３  リスト
３０４  確定表示枠
３０５  第２の種類ガイド
【図１】
2010160655.tif 000003
【図２】
2010160655.tif 000004
【図３】
2010160655.tif 000005
【図４】
2010160655.tif 000006
【図５】
2010160655.tif 000007
【図６】
2010160655.tif 000008
【図７】
2010160655.tif 000009
【図８−１】
2010160655.tif 000010
【図８−２】
2010160655.tif 000011
【図８−３】
2010160655.tif 000012
【図８−４】
2010160655.tif 000013